(57)【要約】【課題】持ち運びが容易であり、被験者の内面の状態を改善していく方法について示唆を与え、心理療法としての効果を期待することができるカラーセラピー用の診断器具を提供する。【解決手段】本実施形態に係るカラーセラピー用の診断器具１０は、１０色の異なる色彩に着色された１０個の着色体３０（３０Ａ〜３０Ｊ）と、着色体３０を収納可能な立体棚２０とを組み合わせてなり、立体棚２０は、３行３列に配列された、９箇所の着色体収納部２９が形成されている。【選択図】図１
2019071947.tif 000002
【特許請求の範囲】
【請求項１】
複数種類の色彩に着色された複数の着色体からなる着色体セットと、前記着色体を収納可能な立体棚とを組み合わせてなり、前記立体棚は、３行３列に配列された９つの着色体収納部を有することを特徴とするカラーセラピー用の診断器具。
【請求項２】
前記着色体セットは、１０色の異なる色彩にそれぞれ着色された１０個の着色体からなり、前記１０個の着色体のうち８個は有彩色にそれぞれ着色され、他の２個は無彩色にそれぞれ着色されていることを特徴とする請求項１記載のカラーセラピー用の診断器具。
【請求項３】
前記他の２個の着色体は、白色と黒色とにそれぞれ着色されていることを特徴とする請求項２記載のカラーセラピー用の診断器具。
【請求項４】
前記８個の着色体は、赤色、橙色、黄色、緑色、青色、藍色、紫色及び桃色にそれぞれ着色されていることを特徴とする請求項３記載のカラーセラピー用の診断器具。
【請求項５】
前記着色体セットは、前記８個の着色体をさらに加えた合計１８個の着色体からなることを特徴とする請求項４記載のカラーセラピー用の診断器具。
【請求項６】
前記着色体は、立方体であることを特徴とする請求項１記載のカラーセラピー用の診断器具。
【請求項７】
前記着色体は、着色液または着色粒子が充填された容器であることを特徴とする請求項１記載のカラーセラピー用の診断器具。
【請求項８】
前記着色体が透光性素材で形成されていることを特徴とする請求項１記載のカラーセラピー用の診断器具。
【請求項９】
前記立体棚は、前面が開口された箱状体をなし、その内部が複数の棚板および複数の仕切板により３行３列に区画されていることを特徴とする請求項１記載のカラーセラピー用の診断器具。
【請求項１０】
前記立体棚が透光性素材で形成されていることを特徴とする請求項１記載のカラーセラピー用の診断器具。
【発明の詳細な説明】
【技術分野】
【０００１】
本発明の実施形態は、被験者が選択する色彩から被験者の心理状態を診断するカラーセラピーに用いる診断器具に関する。
【背景技術】
【０００２】
人の心理状態を診断する手法として、オーラソーマによるカラーセラピーが知られている。オーラソーマによるカラーセラピーは、上下層に異なる又は同一の色彩の着色液が充填された１０３種のカラーボトルを用い、被験者に任意のカラーボトルを選択させ、その選択したカラーボトルの色彩から被験者の心理状態を診断するものである。この手法をアレンジした手法として、例えば、特許文献１には、１０３本のカラーボトルとカーネーションの花の色などとを対応させることによりカラーセラピーを行う手法が提案されている。
【０００３】
また、特許文献２および特許文献３には、被験者に１２色の色彩を順番に選択させ、選択された色彩およびその色彩が選択された順番から被験者の心理的・生理的な状態を診断する色彩診断システムが提案されている。
【先行技術文献】
【特許文献】
【０００４】
【特許文献１】特開２００４−６５５７３号公報
【特許文献２】特開２００６−７５２９４号公報
【特許文献３】特開２００７−１７５４３９号公報
【発明の概要】
【発明が解決しようとする課題】
【０００５】
特許文献１に記載の手法は診断器具として１０３個のカラーボトルを用いるために診断器具の持ち運びが煩瑣であり、被験者のもとを訪れての診断には不向きであった。また、特許文献１に記載の手法は、被験者が選択した色彩から被験者の内面の状態を診断するという点では一定の効果を期待することができるものの、被験者の内面の状態を改善していく方法について示唆を与えるものではなく、心理療法としての効果を期待することができるものではなかった。
【０００６】
また、特許文献２または特許文献３に記載の色彩診断システムはコンピュータ端末を用いて診断を行うため、カラーボトルの持ち運びについての問題は生じないものの、特許文献１に記載の手法と同様に被験者の内面の状態を改善していく方法について示唆を与えるものではなく、心理療法としての効果は不十分であった。
【０００７】
以上説明したように、公知の手法は、器具の持ち運びが煩瑣であり、被験者のもとを訪れての診断には不向きであるという点、および被験者の内面の状態を改善していく方法について示唆を与えるものではなく、心理療法としての効果を期待することができるものではないという点で未だ解決すべき課題を残すものであった。
【０００８】
本発明は、前記の課題を解決するためになされたものである。即ち、本発明の目的は、持ち運びが容易であり、被験者の内面の状態を改善していく方法について示唆を与え、心理療法としての効果を期待することができるカラーセラピー用の診断器具を提供することにある。
【課題を解決するための手段】
【０００９】
本発明の一実施形態に係るカラーセラピー用の診断器具は、複数種類の色彩に着色された複数の着色体からなる着色体セットと、前記着色体を収納可能な立体棚とを組み合わせてなり、前記立体棚は、３行３列に配列された９つの着色体収納部を有することを特徴とする。
【００１０】
前記着色体セットは、典型的には、１０色の異なる色彩にそれぞれ着色された１０個の着色体からなる。前記１０個の着色体のうち８個は有彩色、例えば、赤色、橙色、黄色、緑色、青色、藍色、紫色及び桃色にそれぞれ着色される。他の２個は無彩色、例えば、白色と黒色とにそれぞれ着色されている。前記着色体の形状は、典型的には立方体である。前記立体棚は、典型的には、前面が開口された箱体をなし、その内部が複数の棚板および複数の仕切板により３行３列に区画されている。前記立体棚と前記着色体とは、典型的には透光性素材を用いて製作されている。
【発明の効果】
【００１１】
本発明のカラーセラピー用の診断器具は、持ち運びが容易であり、被験者の内面の状態を改善していく方法について示唆を与え、心理療法としての効果を期待することができる。
【図面の簡単な説明】
【００１２】
【図１】図１は、本実施形態に係るカラーセラピー用の診断器具の使用状態を示す斜視図である。
【図２】図２は、本実施形態に係るカラーセラピー用の診断器具を構成する着色体セットの一例を示す斜視図である。
【図３】図３は、本実施形態に係るカラーセラピー用の診断器具を構成する立体棚の一例を示す斜視図である。
【図４】図４は、図２の着色体の他の例を示す斜視図である。
【図５】図５は、本実施形態の変形例に係るカラーセラピー用の診断器具を示す斜視図である。
【発明を実施するための形態】
【００１３】
以下、本発明の実施形態について図面を参照しながら具体的に説明する。以下の説明において、略同一の機能及び構成を有する構成要素については、同一符号を付し、重複説明は必要な場合にのみ行う。
【００１４】
図１は本実施形態に係るカラーセラピー用の診断器具の使用状態を示す斜視図である。図２は、本実施形態に係る診断器具を構成する着色体セットの一例を示す斜視図である。図３は、本実施形態に係る診断器具を構成する立体棚の一例を示す斜視図である。図４は、図２の着色体の他の例を示す斜視図である。
【００１５】
本発明の実施形態に係るカラーセラピー用の診断器具１０は、複数の着色体３０からなる着色体セット３と、着色体３０を収納可能な立体棚２０とを組み合わせてなる。
（着色体）
【００１６】
図２に示すように、着色体セット３は、１０色の異なる色彩にそれぞれ着色された１０個の着色体３０（３０Ａ〜３０Ｊ）からなる。ここで、「着色体」とは何らかの色彩に着色された物体をいう。また、「色彩」は、有彩色と無彩色とを含む。また、「着色された」とは物体の表面が着色されたものに限られず、物体を構成する材料に色素が練り込まれたもの等であってもよい。１０個の着色体３０Ａ〜３０Ｊのうち８個３０Ａ〜３０Ｈは有彩色に着色され、残りの２個３０Ｉ、３０Ｊは無彩色に着色されている。
【００１７】
典型的には、有彩色に着色された８個の着色体３０Ａ〜３０Ｈは、虹の７色（赤色、橙色、黄色、緑色、青色、藍色、紫色）に桃色を加えた８色にそれぞれ着色されている。一方、無彩色に着色された２個の着色体３０Ｉ、３０Ｊは、白色および黒色にそれぞれ着色されている。すなわち、着色体セット３は、赤色着色体３０Ａ、橙色着色体３０Ｂ、黄色着色体３０Ｃ、緑色着色体３０Ｄ、青色着色体３０Ｅ、藍色着色体３０Ｆ、紫色着色体３０Ｇ、桃色着色体３０Ｈ、白色着色体３０Ｉおよび黒色着色体３０Ｊからなる。通常、カラーセラピーでは有彩色のみを用いるが、本発明のカラーセラピー用の診断器具１０においては無彩色である白色および黒色も用いる。これは、発明者の検討により、認知症の患者が白色、黒色などの無彩色を選択する傾向があるという知見が得られたからである。即ち、無彩色に着色された着色体（白色着色体３０Ｉおよび黒色着色体３０Ｊ）を着色体セット３に含めることによって、被験者の心理状態を診断する以前に、その被験者に認知症の疑いがあるか否かを診断することが可能となる。
【００１８】
なお、それぞれの色には意味があり、被験者の心理状態を象徴している。従って、被験者がどの色を選択するかによって、被験者の心理状態を診断することができる。表１に前記１０色が持っている意味を示す。表１から分かるように、例えば赤色着色体３０Ａは、被験者の「行動的、活動的、情熱的」というポジティブな心理状態と、「欲求不満、攻撃的・反発、分離感、怒りや恨み」というネガティブな心理状態とを象徴する。
【００１９】
【表１】
2019071947.tif 000003
【００２０】
着色体３０は、着色された立方体、つまりカラーキューブである。着色体３０を立方体に形成することにより、以下のような効果が期待できる。例えば、着色体３０を立方体に形成することは、複数の着色体３０の積み重ねによる収納を可能にし、収納スペースの極小化、容易な持ち運びを実現する。また、着色体３０の向きを気にする必要がないため、カラーセラピー開始前に専用の収納袋から複数の着色体３０を取り出し、被験者の前に並べる準備作業、カラーセラピー終了後に複数の着色体３０を専用の収納袋に収納する収納作業が容易である。
【００２１】
また、着色体３０は、典型的には、透光性素材で形成されている。ここで、「透光性」とは、光が透過するが、透過する光が拡散され、或いは光の透過率が低いために、その材質を通して向こう側（背景）を明確に認識できない、又は全く認識できない状態となる性質を指す。例えば、磨りガラスや乳白色のプラスチック等、いわゆる半透明の素材は透光性素材に該当する。着色体３０が透光性素材で形成されていることにより、着色体３０と立体棚２０との境界が目立たなくなる。このため、被験者が立体棚２０と着色体３０の素材の違いによる違和感を覚え難くなり、被験者の心理状態のままに着色体３０を立体棚２０に収納することができる。つまり、被験者の心理状態の診断結果の信頼性を向上させることができる。また、着色体３０が比較的透明度の低い透光性素材で形成することで、着色体３０を透かした先を見えにくくすることができる。これは、被験者による着色体３０の選択に際し、着色体３０が並べられた場所の背景色の影響を排除することができ、被験者が認識した着色体３０の色彩が、その着色体３０の実際の色彩と異なる事態を回避し、着色体３０が並べられた場所による診断結果のバラつきを抑えられる。特に、本実施形態では、色彩を１０色に限定しているため、上記のような被験者の色彩の認識違いを確実に回避できる。また、カラーセラピーを被験者に対して実施する使用者（カラーセラピスト）は、着色体３０を並べる場所を選ばないため、カラーセラピーの準備時間を短縮できる。
【００２２】
なお、着色体３０の態様はカラーキューブに限定されない。着色体３０の形状は、球体、多角柱体、多角錐体等でもよい。また、図３に示すように、着色体３０は、内部に着色液または着色粒子３１が充填された容器３２により提供されてもよい。
（立体棚２０）
【００２３】
立体棚２０は９箇所の着色体収納部２９を有する。図３に示すように、典型的には、立体棚２０において、９箇所の着色体収納部２９は３行３列に配列されている。具体的には、立体棚２０は、枠体２１と、２枚の仕切板２２と、２枚の棚板２３とからなる。枠体２１は、天板、底板、右側板、左側板及び背板を組み合わせてなる前面が開口した箱体である。典型的には、枠体２１は、その幅に対する高さの比率が１になるように、各板が構成される。２枚の仕切板２２は、枠体２１の一対の側板の間に等間隔に配置され、枠体内を縦に３等分割する。２枚の棚板２３は、枠体２１の天板と底板との間に等間隔に配置され、枠体内を横に３等分割する。このように縦横に組まれた２枚の仕切板２２と２枚の棚板２３とにより、同一の立方体形状の空間からなる９箇所の着色体収納部２９が３行３列に配列される。なお、着色体収納部２９の形状は着色体３０を収納することができる限りにおいて上記に限定されない。例えば、着色体収納部２９は、直方体形状の空間からなるものであってもよい。
【００２４】
３行３列、９箇所の着色体収納部２９にはそれぞれ意味があり、被験者の心理状態を象徴している。従って、被験者がどの位置に、どの色の着色体３０を収納するかによって、色彩の選択のみで行うカラーセラピーよりも被験者の心理状態を精密かつ高度に診断することができる。従来、被験者に絵を描かせることによって被験者の内面を診断し、その診断内容から被験者の心理状態を改善する描画療法が知られている。この方法は被験者の心理状態を改善する療法として著名であるが、被験者によっては描画に苦手意識があり、十分な効果を得られないケースもあった。本実施形態に係るカラーセラピー用の診断器具１０によれば、任意の着色体３０を選択し、その着色体３０を任意の位置に収納するという極めて簡便な手法で描画療法と類似の効果を得ることができる。表２に９箇所の着色体収納部２９が持っている意味を示す。表２から分かるように、被験者から見て、右上段の着色体収納部２９は、「目的、意図」を象徴し、中央の中段の着色体収納部２９は、「今の自分の状態」を象徴し、左下段の着色体収納部２９は、「潜在的能力、心的外傷（トラウマ）」を象徴する。
【００２５】
【表２】
2019071947.tif 000004
【００２６】
立体棚２０は透光性素材で形成されている。「透光性」の定義は着色体３０における説明と同義である。典型的には、立体棚２０は、着色体３０と同一の透光性素材製である。立体棚２０が透光性素材で形成されていることにより、被験者の視野に外部の色情報が入り難くなる。このため、被験者は立体棚２０に着色体３０を収納する行為に集中することができ、カラーセラピーを実施する周囲環境が被験者の心理状態の診断に与える影響を低減し、あらゆる場所でのカラーセラピーの実施を可能にする。
【００２７】
なお、着色体３０と立体棚２０の形成方法は特に限定されない。例えば、着色体３０は、所定の色彩に着色された透光性素材を用いて一体成形されたものでもよいし、所定の色彩に着色された透光性を有する板材をネジ等の接続部品を用いて組み立てたものでもよい。同様に、立体棚２０は、所定の色彩に着色された透光性を有する板材をネジ等の接続部品を用いて組み立てたものでもよいし、所定の色彩に着色された透光性を有する板材を接着剤等により強固に固着した組立て不可なものであってもよい。組立て式を採用することは、バラバラに分離した状態での部品の持ち運びを可能にし、運搬性を向上させる。また、一部分が汚れてしまっても、その一部分を含む部品だけを交換すればよいため、メンテナンスコストは低い。一方、組立て不可な構造を採用することは、組み立て作業を不要にし、カラーセラピーに係る準備作業と片付け作業とにかかる時間を短縮することができる。また、組立て式に比べて、高い耐衝撃性能を有する。
（使用方法と効果説明）
【００２８】
カラーセラピストは、本実施形態に係るカラーセラピー用の診断器具１０を以下のように使用する。すなわち、カラーセラピストは、被験者に対して、互いに異なる色彩で着色された１０個の着色体３０を提示し、１０個の着色体３０Ａ〜３０Ｊの中から任意の着色体３０を選択させ、選択させた着色体３０を立体棚２０の任意の着色体収納部２９に収納するように促す。次に、カラーセラピストは、残りの９個の着色体３０の中から任意の着色体３０を選択させ、選択させた着色体３０を、立体棚２０の着色体３０が収納されていない任意の着色体収納部２９に収納するように促す。最後に、カラーセラピストは、残りの８個の着色体３０の中から任意の着色体３０を選択させ、選択させた着色体３０を、立体棚２０の着色体３０が収納されていない任意の着色体収納部２９に収納するように促す。これにより、図１に示すように、１０個の着色体３０から被験者により選択された３個が、立体棚２０の９箇所の着色体収納部２９のうち被験者により選択された３箇所にそれぞれ収納された状態になる。
【００２９】
カラーセラピストは、被験者により選択された着色体３０の色と、選択された着色体収納部２９の位置との関係から、被験者の心理状態を診断し、被験者の心理状態の改善に役立てることができる。より具体的には、着色体３０を選択させ、選択させた着色体３０を立体棚２０の着色体収納部２９に置くという、極めて簡便な手法で描画療法と類似の効果を得ることができ、色彩の選択のみで行うカラーセラピーよりも被験者の心理状態を精密かつ高度に診断することができる。また、本実施形態に係るカラーセラピー用の診断危惧１０は、オーラソーマによるカラーセラピーと比較して、使用する器具が圧倒的に少なく、持ち運びが容易である。
【００３０】
なお、本実施形態では、着色体セット３は互いに異なる有彩色に着色された８個の着色体３０Ａ〜３０Ｈと、互いに異なる無彩色に着色された２個の着色体３０Ｉ，３０Ｊとからなるとしたが、着色体セット３は、上記の１０個の着色体３０Ａ〜３０Ｊを有する限り、更に他の着色体を加えて構成されてもよい。例えば、着色体セット３は、上記の１０個の着色体３０Ａ〜３０Ｊに、上記の有彩色に着色された８個の着色体３０Ａ〜３０Ｈをさらに加えた合計１８個の着色体３０で構成されてもよい。すなわち、着色体セット３は、図２で示した赤色着色体３０Ａ、橙色着色体３０Ｂ、黄色着色体３０Ｃ、緑色着色体３０Ｄ、青色着色体３０Ｅ、藍色着色体３０Ｆ、紫色着色体３０Ｇおよび桃色着色体３０Ｈを各２個と、白色着色体３０Ｉ及び黒色着色体３０Ｊを各１個の合計１８個から構成される。カラーセラピストは、合計１０個の着色体３０からなる着色体セット３を使用するのと同じように、合計１８個の着色体３０からなる着色体セット３を使用して、被験者の心理状態を診断することができる。有彩色に着色された着色体３０が各１個ずつ増えているため、２回目、３回目に選択可能な着色体３０の種類が増える。被験者による着色体３０の選択肢を増やすことは、カラーセラピストによるさらなる精密かつより高度な診断を実現する。一方で、合計１０個の着色体３０からなる着色体セット３に比べて、着色体３０が８個増えてしまう。それでも、従来の１００個を超えるカラーボトルやカラーボール等を使用する場合に比べて、使用器具は１／５以下と圧倒的に少ない。つまり、合計１８個の着色体３０からなる着色体セット３は、合計１０個の着色体からなる着色体セット３に比べて、運搬性の低下を抑えながら、カラーセラピストによる被験者の心理状態の診断結果の詳細性を向上させることができる。
（変形例）
【００３１】
また、本実施形態に係るカラーセラピー用の診断器具１０は、着色体セット３と立体棚２０とを組み合わせた一式であったが、実施形態はこれに限定されない。図５は、本実施形態の変形例に係るカラーセラピー用の診断器具を示す斜視図である。図５に示すように、変形例に係るカラーセラピー用の診断器具１０´は、複数の着色シール６０（６０Ａ〜６０Ｊ）からなる着色シールセット６と着色シール６０を貼り付けるための９箇所の貼付部５９を有する貼付ボード５０とを組み合わせた一式であってもよい。着色体３０を着色シール６０に代替し、立体棚２０を貼付ボード５０に代替することで、変形例に係るカラーセラピー用の診断器具１０´は、運搬性をさらに向上させたものである。
【００３２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【産業上の利用可能性】
【００３３】
本発明の診断器具１０は、被験者の心理状態を診断するカラーセラピーに利用することができる。そして、描画療法と同程度の高度の診断・心理状態の改善を要するカラーセラピーに特に好適に利用することができる。
【符号の説明】
【００３４】
１０…カラーセラピー用の診断器具、２０…立体棚、３０…着色体。
【図１】
2019071947.tif 000005
【図２】
2019071947.tif 000006
【図３】
2019071947.tif 000007
【図４】
2019071947.tif 000008
【図５】
2019071947.tif 000009
【手続補正書】
【提出日】平成30年2月7日(2018.2.7)
【手続補正１】
【補正対象書類名】特許請求の範囲
【補正対象項目名】全文
【補正方法】変更
【補正の内容】
【特許請求の範囲】
【請求項１】
異なる色彩にそれぞれ着色された複数の着色体からなる着色体セットと、前記着色体を収納可能な立体棚とを組み合わせてなり、
前記立体棚は、３行３列に配列された９つの着色体収納部を有し、枠体と、２枚の仕切板と、２枚の棚板とからなり、
前記枠体は、天板、底板、右側板、左側板及び背板を組み合わせてなる前面が開口した箱体であり、前記２枚の棚板は、前記枠体の前記天板と前記底板との間に等間隔に配置され、
前記着色体が透光性素材で形成されていることを特徴とするカラーセラピー用の診断器具。
【請求項２】
異なる色彩にそれぞれ着色された複数の着色体からなる着色体セットと、前記着色体を収納可能な立体棚とを組み合わせてなり、
前記立体棚は、３行３列に配列された９つの着色体収納部を有し、枠体と、２枚の仕切板と、２枚の棚板とからなり、
前記枠体は、天板、底板、右側板、左側板及び背板を組み合わせてなる前面が開口した箱体であり、前記２枚の棚板は、前記枠体の前記天板と前記底板との間に等間隔に配置され、
前記立体棚が透光性素材で形成されていることを特徴とするカラーセラピー用の診断器具。
【請求項３】
前記着色体セットは、１０色の異なる色彩にそれぞれ着色された１０個の着色体からなり、前記１０個の着色体のうち８個は有彩色にそれぞれ着色され、他の２個は無彩色にそれぞれ着色されていることを特徴とする請求項１または２記載のカラーセラピー用の診断器具。
【請求項４】
前記他の２個の着色体は、白色と黒色とにそれぞれ着色されていることを特徴とする請求項３記載のカラーセラピー用の診断器具。
【請求項５】
前記８個の着色体は、赤色、橙色、黄色、緑色、青色、藍色、紫色及び桃色にそれぞれ着色されていることを特徴とする請求項４記載のカラーセラピー用の診断器具。
【請求項６】
前記着色体セットは、前記８個の着色体をさらに加えた合計１８個の着色体からなることを特徴とする請求項５記載のカラーセラピー用の診断器具。
【請求項７】
前記着色体は、立方体であることを特徴とする請求項１または２記載のカラーセラピー用の診断器具。
【請求項８】
前記着色体は、着色液または着色粒子が充填された容器であることを特徴とする請求項１または２記載のカラーセラピー用の診断器具。
【請求項９】
前記着色体が透光性素材で形成されていることを特徴とする請求項２記載のカラーセラピー用の診断器具。
【請求項１０】
前記立体棚は、前面が開口された箱状体をなし、その内部が複数の棚板および複数の仕切板により３行３列に区画されていることを特徴とする請求項１または２記載のカラーセラピー用の診断器具。
【請求項１１】
前記立体棚が透光性素材で形成されていることを特徴とする請求項１記載のカラーセラピー用の診断器具。